(57)【特許請求の範囲】
【請求項１】
自動車に搭載されたマルチメディア装置からインターネットへ接続するシステムであって，前記システムが、
前記マルチメディア装置、
前記自動車に搭載されたデータプロセッサ、及び
前記自動車の中に持ち込まれた携帯電話機を備え、このシステムにおいては、
前記携帯電話機は、インターネットに接続するように構成されると共に、無線送受信器を装備し，前記無線送受信器は複数のチャネルを含み，前記複数のチャネルの１個はデータオーバーデータチャネルであり，前記データオーバーデータチャネルは前記インターネットから接続されたデータをモニタするように構成され，前記複数のチャネルの別の１個はデータ専用チャネルであり，前記データ専用チャネルは前記携帯電話機と前記マルチメディア装置との間でデータを無線伝送できるように構成され，前記データ専用チャネル上を伝送されるデータはモニタされないようになっており，
前記携帯電話機内に配置され，前記データオーバーデータチャネルを介してインターネットウェブサイトに接続できる第１アプリケーションがあり，
前記データプロセッサは、前記データオーバーデータチャネルからの前記インターネットウェブサイトをデータ形式に符号化して，前記データ専用チャネルを介してデータ形式で前記マルチメディア装置に送信することができ、
前記マルチメディア装置内に配置された第２のアプリケーションであって，前記第２のアプリケーションは前記ウェブサイトを前記マルチメディア装置上に表示させるように，前記データ専用チャネルを介して受信した前記データ形式を処理することができ，前記インターネットを使用する費用が，利用者に掛からないようにする，前記第２アプリケーションがある。
【請求項２】
前記データ専用チャネルは直列ポートプロファイルである，請求項１に記載のシステム。
【請求項３】
前記無線送受信器は，Ｂｌｕｅｔｏｏｔｈ（登録商標）送受信機を使用してデータを伝送するように構成されている，請求項１に記載のシステム。
【請求項４】
前記第１アプリケーションは，所定の複数のウェブサイトのリストを含む，請求項１に記載のシステム。
【請求項５】
所定のウェブサイトのうち一つを選択できる入力を更に含む，請求項４に記載のシステム。
【請求項６】
前記第１アプリケーションは，利用者の携帯電話機に記憶された該利用者の個人情報を収集することができ，前記データプロセッサは前記利用者の身元を検証するために，前記選択したウェブサイトへ前記利用者の個人情報を送信することができる，請求項４に記載のシステム。
【請求項７】
前記複数のウェブサイトはそれぞれ，検証用に利用者の個人データをキャッシュメモリに格納できる，請求項６に記載のシステム。
【請求項８】
利用者の個人情報を有するデータベースを更に含み，前記第１アプリケーションは，前記利用者の識別情報を検証し，前記利用者のキャッシュメモリに格納された情報に従って前記ウェブサイトを作動させるために，前記利用者の個人データを前記選択されたウェブサイトへ送信することができる，請求項７に記載のシステム。
【請求項９】
前記入力は，前記携帯電話機又は前記マルチメディア装置のいずれか一つに配置される，請求項５に記載のシステム。
【請求項１０】
利用者の個人情報を記憶することができるホストを更に含み，前記携帯電話機は該ホストと通信し，前記ホストは，前記選択されたウェブサイトを作動させ，前記携帯電話機を介し，前記データ専用チャネルを介して，該ウェブサイトを前記マルチメディア装置へ送信することができる，請求項５に記載のシステム。
【発明の詳細な説明】
【技術分野】
【０００１】
本願は，２０１１年９月１日出願の米国仮特許出願第６１／５３０，００８号の優先権を主張し，その全体をここに参照する。
【０００２】
本発明は，マルチメディア装置を備える自動車において用いるシステムに関する。このシステムは，無線送受信器を備える携帯電話機を含む。無線送受信器は，携帯電話機とマルチメディア装置との間でデータを伝送することができるデータ専用チャネルを含む。このシステムは，マルチメディア装置にインターネット接続を提供することができる。
【背景技術】
【０００３】
自動車はマルチメディア装置を備えている。マルチメディア装置は通常，前部運転手座席と前部乗客座席との間に配置された自動車の計器パネルにある。マルチメディア装置は，衛星ラジオ，ＡＭ／ＦＭラジオ，などのようなマルチメディアアプリケーションのほか，ナビゲーションを容易にする機能を含んでもよい。
【０００４】
現在，いくつかのマルチメディア装置はインターネットを受信し，接続することができる。インターネット接続は，利用者の携帯電話機又はマルチメディア装置内に組み込まれた送受信器を介した無線通信によって達成される。携帯電話機を介してインターネットに接続する例においては，携帯電話機はＢｌｕｅｔｏｏｔｈ（登録商標）のような無線通信システムを備える。
【０００５】
Ｂｌｕｅｔｏｏｔｈ（登録商標）は，短距離を無線でデータ交換する無線技術標準である。Ｂｌｕｅｔｏｏｔｈ（登録商標）は固定装置及び移動装置双方を接続して局限ネットワークを生成する直列ケーブルの代替として作られた。Ｂｌｕｅｔｏｏｔｈ（登録商標）は複数のプロファイルを含む。プロファイルのいくつかは，個人域ネットワーク（ＰＡＮ）又はダイヤルアップネットワーク（ＤＵＮ）を介して，当業者で言うところの「データオーバーデータ」で伝送することができる。
【０００６】
このようなネットワークを介して，携帯電話機はインターネットに直接接続し，ウェッブサイト又はインターネットのコンテンツをマルチメディア装置へ送信することができる。これは，当業において広く「テザリング」と呼ばれる。図１に示した例では，稲妻がインターネット接続を表している。このようなネットワーク接続は現在，利用者の負担になっている。すなわち，携帯電話機提供事業者及びサービス事業者は，ＰＡＮ又はＤＵＮを介して伝送されるデータ量に応じて利用者に課金する。したがって，データ伝送料金を発生させずに，インターネットコンテンツを受信できるマルチメディア装置が望まれる。
【発明の概要】
【課題を解決するための手段】
【０００７】
本発明の一態様によれば，マルチメディア装置を備える自動車からインターネットに接続するシステムが提供される。このシステムは，無線送受信器を備えた携帯電話機を含む。無線送受信器は，携帯電話機とマルチメディア装置との間でデータを伝送することができるデータ専用チャネルを含む。
【０００８】
第１アプリケーションは携帯電話機内に配置される。第１アプリケーションはインターネットウェブサイトに接続することができる。データプロセッサは，データ専用チャネルを介して，ウェブサイトをデータ形式でマルチメディア装置へ送信することができる。第２アプリケーションはマルチメディア装置内に配置される。第２アプリケーションは，マルチメディア装置にウェブサイトを表示するように，データ専用チャネルを介して受信したデータを処理し，このためＰＡＮ又はＤＵＮのような費用ベースの無線ネットワークを介したデータ伝送／インターネット接続の必要がなくなる。
【０００９】
無線送受信器はＢｌｕｅｔｏｏｔｈ（登録商標）送受信器であってもよいし，データ専用チャネルは広く直列ポートプロファイル（ＳＰＰ）と呼ばれるデータ専用チャネルであってもよい。直列ポートプロファイルは，第１装置と第２装置との間でデータだけを転送することができる。特に，直列ポートプロファイルは，携帯電話機とマルチメディア装置との間でデータを転送することができる。
【００１０】
第１アプリケーションは，所定の複数のウェブサイトのリストを含んでもよい。第１アプリケーションはさらに，利用者の携帯電話機に記憶された利用者の個人情報を収集することができる。ここで，「個人情報」は利用者の身元を検証するために必要な特定の人の情報を指し，利用者のログイン識別情報及び関係するパスワード，並びに利用者が選択した質問に対する回答を含むがそれに限定されるものではない。
【００１１】
システムは所定のウェブサイトのうち一つを選択することができる入力を含む。入力は携帯電話機又はマルチメディア装置のいずれか一つに配置される。
【００１２】
データプロセッサは，利用者の身元を検証するために，利用者の個人情報を送信することができる。さらに，複数のウェブサイトはそれぞれ，検証のために利用者の個人データをキャッシュメモリに格納してもよい。なお、以後の説明では、データをキャッシュメモリに格納することを単にキャッシュと記す。
【００１３】
システムはデータベースを更に含んでもよい。データベースは利用者の個人情報を有する。第１アプリケーションは，利用者の識別情報を検証し，利用者のキャッシュされた情報に従ってウェブサイトを作動させるために，データベースから収集した利用者の個人情報を，選択したウェブサイトへ送信するようにしてもよい。
【００１４】
システムはホストを更に含んでもよい。ホストは，利用者の個人情報を記憶し，ウェブサイトからのデータの送信及び収集を容易にするように，選択したウェブサイトを作動させることができる。
【００１５】
第１アプリケーションはホストからデータを受信し，データ専用チャネルを介してデータを第２アプリケーションへ送信する。第２アプリケーションは，データを処理し，マルチメディア装置上に表示するウェブサイトの形式に編集するために，複数のコマンドを実行することができる。したがって，ＰＡＮ及びＤＵＮのような費用ベースのネットワークを用いる必要なしに，マルチメディア装置にインターネット接続を提供することができる。
【００１６】
本願発明の利点は，添付の図面と共に以降の詳細な説明を参照することによって，容易に理解できるであろう。
【図面の簡単な説明】
【００１７】
【図１】個人域ネットワーク又はＤＵＮネットワークを介してインターネットに接続するヘッドユニットのシステム図である。
【図２】本発明のシステムのシステム図である。
【図３】Ｂｌｕｅｔｏｏｔｈ（登録商標）送受信器内の種々のデータ専用チャネルを示す図である。
【図４】選択可能なウェブサイトのリストを示すマルチメディア装置の表示画面の図である。
【発明を実施するための形態】
【００１８】
始めに図１を参照すると，マルチメディア装置１４を備える自動車１２からインターネットに接続するシステム１０が提供されている。マルチメディア装置１４は，自動車１２の計器パネルに配置してもよく，駐車支援用カメラと，ナビゲーションユニットと，衛星ラジオユニットと，ＡＭ／ＦＭラジオユニットと，ＣＤプレイヤ又はＤＶＤプレイヤと，のようなメディア機能を含む。
【００１９】
システム１０は，１又は複数の無線送受信器１８を備えた携帯電話機１６を含む。無線送受信器１８は，開空間でデータ通信及び音声通信を送受信することができる。無線送受信器１８は，広範な周波数で種々の異なる無線信号を送受信することができ，ＦＭラジオ帯域，セルラ通信標準周波数帯域，ＧＰＳ，Ｂｌｕｅｔｏｏｔｈ（登録商標），などにおける無線信号を送受信する能力を含んでもよい。無線信号は，１又は複数の音声チャネル又はデータチャネル及びその組合せを用いて，音声情報及びデータ情報双方を送信することができる。いくつかのセルラ通信無線信号は，音声チャネル及びデータチャネル双方を用いてインターネットに接続することができる。いくつかの送受信器は，短距離で限られた量の音声通信及びデータ通信を送信することだけができる。
【００２０】
Ｂｌｕｅｔｏｏｔｈ（登録商標）チャネルのうち少なくとも一つはデータ専用チャネル２０であり，携帯電話機１６とマルチメディア装置１４との間でデータを送信することだけが可能である。図２を参照すると，データ専用伝送が点線で示されている。特に，Ｂｌｕｅｔｏｏｔｈ（登録商標）データ専用チャネル２０は，インターネット接続可能ではない。当業者であれば，携帯電話機１６がインターネットに接続できる送受信器１８を備えていることを理解するであろう。
【００２１】
例えば，無線送受信器１８は，複数のＢｌｕｅｔｏｏｔｈ（登録商標）プロファイルを備えたＢｌｕｅｔｏｏｔｈ（登録商標）送受信器１８であってよい。Ｂｌｕｅｔｏｏｔｈ（登録商標）プロファイルのうちいくつかは，インターネット接続を提供することができる。Ｂｌｕｅｔｏｏｔｈ（登録商標）プロファイルのうち一つは直列ポートプロファイル（ＳＰＰ）である。当業者であれば，直列ポートプロファイルは，携帯電話機１６を別の装置に接続し，データがある装置から別の装置へはん用直列バスコードのようなハードウェアの線を介して送信されるのと同様に，データを無線で送信することだけができる。
【００２２】
第１アプリケーション２２は，携帯電話機１６内に配置される。第１アプリケーション２２は，インターネットからウェブサイトに接続することができる。より詳細に言えば，第１アプリケーション２２は複数のコマンドを実行することができ，そのうち一つは携帯電話機がインターネットに接続し，ウェブサイトを取得するようにする。第１アプリケーション２２はさらに，所定の複数のウェブサイトを有するリスト２４を含んでもよい。第１アプリケーション２２は，利用者が所定の複数の所望のウェブサイトを入力できるようにプログラムすることができてもよい。第１アプリケーション２２はこのようにして，携帯電話機１６がリスト２４上の所定のウェブサイトのいずれにも接続できるようにする。
【００２３】
データプロセッサ２８はさらに，取得したウェブサイトをより簡単なデータ形式に符号化及び／又は編集してもよい。当業者であれば，この処理に安全性を与えるために，データを暗号化してもよいことを理解するであろう。データプロセッサ２８はさらに，無線データチャネルを介して，インターネットウェブサイトをデータ形式でマルチメディア装置１４へ送信することができる。データプロセッサ２８はまた，１又は複数のアプリケーション２２，３０を実行することもでき，それらが実行されると，携帯電話機１６から送信された符号化されたウェブサイトデータを復号し，このデータをマルチメディア装置１４へ送信するために符号化することができる。
【００２４】
代替として，データプロセッサ２８は，携帯電話機１６からの符号化されたデータ信号を復号して，これらの復号された信号を直接マルチメディア装置１４へ送信してもよい。補助装置のデータプロセッサ２８は，理想的には，マルチメディア機能のある移動体装置の処理能力要求が，家庭用ＰＣのようなより大きな装置の処理能力要求よりも小さいという点で，移動体装置のプロセッサと類似である。携帯電話機チップセットのような補助装置のプロセッサは，理想的には低電力消費である。低電力で，縮小命令セット演算（ＲＩＳＣ）を用いている既知の携帯電話機チップセットは，ＡＲＭアーキテクチャを用いている。
【００２５】
第２アプリケーション３０はマルチメディア装置１４内に配置されており，図２においてＨ／Ｕ（ヘッドユニット）と記されている。第２アプリケーション３０は，ウェブサイトをマルチメディア装置１４の表示画面３２に表示するように，データチャネルを介して受信したデータを処理することができるスクリプトを実行する。
【００２６】
システム１０はさらに，所定のウェブサイトのうち一つを選択することができる入力２６を含む。入力２６はさらに，データをウェブサイトに入力できてもよい。図４に示すとおり，入力２６は，選択された機能を示す印（ｉｎｄｉｃｉａ）を有する複数の入力２６であってもよい。説明のために，インターネットは，「インターネット」と記された入力２６を作動させることによって，マルチメディア装置１４上で接続できる。
【００２７】
マルチメディア装置１４はさらに，利用できるウェブサイトのうち一つを選択するために，表示画面３２上をポインタを動き回るようにできる入力２６を含んでもよい。また，当業者であれば，マルチメディア装置１４がタッチスクリーンでできた入力２６を有してもよく，利用者は接続及び選択するために表示されたウェブサイトを単に触れるだけでよいことを理解するであろう。
【００２８】
また，当業者であれば，入力２６は，携帯電話機１６若しくはマルチメディア装置１４のうちいずれか一つ又は双方に配置してもよいことを理解するであろう。このようにして，利用者は携帯電話機１６を，マルチメディア装置１４上に表示されたウェブサイトを選択するためのリモコンとして利用することができる。これは，利用者が後部座席の乗客であるときに望ましい。このように，後部座席の乗客が，ラジオ局を替えるか，又は音楽を演奏しているウェブサイト又は交通情報を提供しているウェブサイトのような，第１アプリケーション２２において利用できる種々のウェブサイトを切替えるために，マルチメディア装置１４を遠隔で操作できる。
【００２９】
第１アプリケーション２２はさらに，利用者の個人情報を収集することができてもよい。利用者の個人情報は，利用者の携帯電話機１６に入力して，利用者の携帯電話機１６に記憶してもよい。
【００３０】
データプロセッサ２８は，利用者の身元を検証するために，利用者の個人情報を選択したウェブサイトへ送信することができる。ウェブサイトは，検証のために利用者の個人データをキャッシュすることができる。
【００３１】
システム１０はさらにデータベース３４を含んでもよい。データベース３４は利用者の個人情報を記憶してもよい。特に，データベース３４は，第１アプリケーション２２に記憶されたウェブサイトそれぞれに対応する利用者のログイン情報及びパスワードを記憶してもよい。
【００３２】
第１アプリケーション２２はさらに，利用者の識別情報を検証するために選択されたウェブサイトへ利用者の個人データを送信するために，データベース３４を処理することができる。例えば，Ｐａｎｄｏｒａウェブサイトを選択したとき，利用者のログイン情報及びパスワードが自動的にＰａｎｄｏｒａウェブサイトに送信されて，利用者がウェブサイトに接続できるようにし，ウェブサイトは利用者の過去の音楽選択の好み，利用者が生成した音楽リスト２４，などを表示しているマルチメディア装置１４へ配信される。
【００３３】
システム１０はさらにホスト３６を含んでもよい。ホスト３６は，利用者が要求した選択したウェブサイトを受信することができる遠隔サーバである。ホスト３６はさらに，インターネットからウェブサイト情報を取り出し，処理し，編集し，データ形式でウェブサイト情報を第１アプリケーション２２へ送信し，第１アプリケーション２２はそのデータをデータチャネルを介して第２アプリケーション３０へ送信する。
【００３４】
システム１０はマルチメディア装置１４に，利用者に費用が掛からないデータ専用チャネル２０を利用してインターネットに接続する能力を提供する。動作中，利用者は，図４に示すように複数の所定のインターネットウェブサイトを示すホーム画面を提供するように構成されたマルチメディア装置の入力２６ボタンを作動させる。ウェブサイトは，統一資源位置指定子（ＵＲＬ）形式で第１アプリケーション２２にプログラムされている。
【００３５】
利用者は利用可能なウェブサイトを閲覧して，所望のウェブサイトを選択することができる。選択は，マルチメディア装置１４若しくは携帯電話機１６に設けられた入力２６，又は音声コマンドを用いて行うことができる。ウェブサイトが選択されると，第１アプリケーション２２は利用者の個人情報を収集して，選択されたウェブサイトと共にインターネットへ送信する。
【００３６】
ウェブサイトは，利用者がウェブサイトを閲覧できるように，利用者の個人データを処理し，利用者の接続を検証する。検証が完了すると，第１アプリケーション２２はウェブサイトを可読データ形式に符号化する。
【００３７】
可読データはデータチャネルを介してマルチメディア装置１４へ送信される。第２アプリケーション３０はマルチメディア装置１４に記憶され，ウェブサイトを可読かつ機能するように表示するために，データチャネルを介して受信したデータを処理することができる。携帯電話機１６又はマルチメディア装置１４のいずれかにおいて利用可能な入力２６は，選択されたウェブサイトを操作するように作動させることができる。
【００３８】
システム１０がホスト３６を利用する例においては，第１アプリケーション２２は選択したウェブサイト及び利用者の個人情報をホスト３６へ送信する。そしてホスト３６はウェブサイトを取得し，選択したウェブサイトを圧縮形式で第１アプリケーション２２へ送信する。このようにして，選択したウェブサイトが比較的大きな量のデータを含む例においては，現在のマルチメディア装置１４のように処理能力が限られている環境には圧縮形式がより適していることがある。
【００３９】
圧縮可読データはデータチャネルを介してマルチメディア装置１４へ送信される。第２アプリケーション３０はマルチメディア装置１４に記憶され，ウェブサイトを可読かつ機能するように表示するように，データチャネルを介して受信したデータを処理することができる。携帯電話機１６又はマルチメディア装置１４のいずれかにおいて利用可能な入力２６は，選択したウェブサイトを操作するように作動させることができる。
【図１】
0006360226.tif 000002
【図２】
0006360226.tif 000003
【図３】
0006360226.tif 000004
【図４】
0006360226.tif 000005